(57)【要約】  ワイヤレス通信の方法は、ユーザプロファイル情報を保持することと、複数のポジションロケーションを受信することと、失敗した相関を決定するために、受信したポジションロケーションを相関させることと、受信したポジションロケーションにギャップがあるか否かに基づいて、ブラックアウト期間を決定することと、失敗した相関とブラックアウト期間とに対するロケーション情報を取得することと、取得したロケーション情報に基づいて、ユーザプロファイル情報を更新することと、緊急事態の通知を受信することと、ユーザプロファイル情報、または、緊急事態の通知とともに受信した緊急時のポジションロケーションのうちの少なくとも１つに基づいて、緊急事態の通知に応答することとを含む。【選択図】    図３
2013521472.tif 000002
【特許請求の範囲】
【請求項１】
ワイヤレス通信の方法において、
ユーザプロファイル情報を保持することと、
複数のポジションロケーションを受信することと、
失敗した相関を決定するために、前記受信したポジションロケーションを相関させることと、
前記受信したポジションロケーションにギャップがあるか否かに基づいて、ブラックアウト期間を決定することと、
前記失敗した相関と前記ブラックアウト期間とに対するロケーション情報を取得することと、
前記取得したロケーション情報に基づいて、前記ユーザプロファイル情報を更新することと、
緊急事態の通知を受信することと、
前記ユーザプロファイル情報、または、前記緊急事態の通知とともに受信した緊急時のポジションロケーションのうちの少なくとも１つに基づいて、前記緊急事態の通知に応答することと
を含む方法。
【請求項２】
ユーザに対する前記ユーザプロファイル情報を受信することをさらに含み、
前記ユーザプロファイル情報は、少なくとも１つのロケーションと、前記少なくとも１つのロケーションのそれぞれに関連する時間期間とを含む請求項１記載の方法。
【請求項３】
前記受信したポジションロケーションは、ＧＰＳ座標を含む請求項１記載の方法。
【請求項４】
前記受信したポジションロケーションは、ユーザ報告されたロケーション、または、実際のロケーションのうちの少なくとも１つをさらに含む請求項３記載の方法。
【請求項５】
前記取得したロケーション情報は、前記失敗した相関と前記決定したブラックアウト期間とに対応するロケーションを含む請求項１記載の方法。
【請求項６】
前記相関させることは、
前記受信したポジションロケーションを実際のロケーションと相関させることと、
実際のロケーションと相関していないポジションロケーションを、前記ユーザプロファイル情報と相関させることと、
前記相関が失敗したポジションロケーションを、実際のロケーションまたは前記ユーザプロファイル情報と相関していないポジションロケーションとして、決定することと
を含む請求項１記載の方法。
【請求項７】
前記緊急事態の通知に応答することは、前記ユーザプロファイル情報または報告された緊急時のポジションロケーションのうちの少なくとも１つに基づいて決定された緊急時のロケーションにいるユーザに付き添うように救急隊員に要求することを含む請求項１記載の方法。
【請求項８】
前記緊急事態の通知とともに緊急時のポジションロケーションを受信することと、
前記緊急時のロケーションを決定するために、前記緊急時のポジションロケーションを、実際のロケーションまたは前記ユーザプロファイル情報のうちの少なくとも１つと相関させることと、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善することと
をさらに含む請求項７記載の方法。
【請求項９】
緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定することをさらに含む請求項７記載の方法。
【請求項１０】
ワイヤレス通信の方法において、
少なくとも１つのロケーションと、前記少なくとも１つのロケーションのそれぞれに関連する時間期間とを含む、ユーザに対するユーザプロファイル情報を受信することと、
前記ユーザの複数のポジションロケーションを受信することと、
前記受信したポジションロケーションにギャップがあるか否かに基づいて、ブラックアウト期間を決定することと、
前記相関が失敗したポジションロケーションを決定するために、前記受信したポジションロケーションを前記ユーザプロファイル情報と相関させることと、
前記決定したブラックアウト期間と、前記受信したポジションロケーションの前記決定した相関の失敗とに対応するロケーションを、前記ユーザから取得することと、
前記ユーザから取得したロケーションに基づいて、前記ユーザプロファイル情報を更新することと、
緊急事態の通知を受信することと、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求することと
を含む方法。
【請求項１１】
ワイヤレス通信のための装置において、
ユーザプロファイル情報を保持する手段と、
複数のポジションロケーションを受信する手段と、
失敗した相関を決定するために、前記受信したポジションロケーションを相関させる手段と、
前記受信したポジションロケーションにギャップがあるか否かに基づいて、ブラックアウト期間を決定する手段と、
前記失敗した相関と前記ブラックアウト期間とに対するロケーション情報を取得する手段と、
前記取得したロケーション情報に基づいて、前記ユーザプロファイル情報を更新する手段と、
緊急事態の通知を受信する手段と、
前記ユーザプロファイル情報、または、前記緊急事態の通知とともに受信した緊急時のポジションロケーションのうちの少なくとも１つに基づいて、前記緊急事態の通知に応答する手段と
を具備する装置。
【請求項１２】
ユーザに対する前記ユーザプロファイル情報を受信する手段をさらに具備し、
前記ユーザプロファイル情報は、少なくとも１つのロケーションと、前記少なくとも１つのロケーションのそれぞれに関連する時間期間とを含む請求項１１記載の装置。
【請求項１３】
前記受信したポジションロケーションは、ＧＰＳ座標を含む請求項１１記載の装置。
【請求項１４】
前記受信したポジションロケーションは、ユーザ報告されたロケーション、または、実際のロケーションのうちの少なくとも１つをさらに含む請求項１３記載の装置。
【請求項１５】
前記取得したロケーション情報は、前記失敗した相関と前記決定したブラックアウト期間とに対応するロケーションを含む請求項１１記載の装置。
【請求項１６】
前記相関させる手段は、
前記受信したポジションロケーションを実際のロケーションと相関させ、
実際のロケーションと相関していないポジションロケーションを、前記ユーザプロファイル情報と相関させ、
前記相関が失敗したポジションロケーションを、実際のロケーションまたは前記ユーザプロファイル情報と相関していないポジションロケーションとして、決定する請求項１１記載の装置。
【請求項１７】
前記緊急事態の通知に応答する手段は、前記ユーザプロファイル情報または報告された緊急時のポジションロケーションのうちの少なくとも１つに基づいて決定された緊急時のロケーションにいるユーザに付き添うように救急隊員に要求する請求項１１記載の装置。
【請求項１８】
前記緊急事態の通知とともに緊急時のポジションロケーションを受信する手段と、
前記緊急時のロケーションを決定するために、前記緊急時のポジションロケーションを、実際のロケーションまたは前記ユーザプロファイル情報のうちの少なくとも１つと相関させる手段と、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善する手段と
をさらに具備する請求項１７記載の装置。
【請求項１９】
緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定する手段をさらに具備する請求項１７記載の装置。
【請求項２０】
ワイヤレス通信のための装置において、
少なくとも１つのロケーションと、前記少なくとも１つのロケーションのそれぞれに関連する時間期間とを含む、ユーザに対するユーザプロファイル情報を受信する手段と、
前記ユーザの複数のポジションロケーションを受信する手段と、
前記受信したポジションロケーションにギャップがあるか否かに基づいて、ブラックアウト期間を決定する手段と、
前記相関が失敗したポジションロケーションを決定するために、前記受信したポジションロケーションを前記ユーザプロファイル情報と相関させる手段と、
前記決定したブラックアウト期間と、前記受信したポジションロケーションの前記決定した相関の失敗とに対応するロケーションを、前記ユーザから取得する手段と、
前記ユーザから取得したロケーションに基づいて、前記ユーザプロファイル情報を更新する手段と、
緊急事態の通知を受信する手段と、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求する手段と
を具備する装置。
【請求項２１】
コンピュータ読取可能媒体を具備するコンピュータプログラムプロダクトにおいて、
前記コンピュータ読取可能媒体は、
ユーザプロファイル情報を保持するためのコードと、
複数のポジションロケーションを受信するためのコードと、
失敗した相関を決定するために、前記受信したポジションロケーションを相関させるためのコードと、
前記受信したポジションロケーションにギャップがあるか否かに基づいて、ブラックアウト期間を決定するためのコードと、
前記失敗した相関と前記ブラックアウト期間とに対するロケーション情報を取得するためのコードと、
前記取得したロケーション情報に基づいて、前記ユーザプロファイル情報を更新するためのコードと、
緊急事態の通知を受信するためのコードと、
前記ユーザプロファイル情報、または、前記緊急事態の通知とともに受信した緊急時のポジションロケーションのうちの少なくとも１つに基づいて、前記緊急事態の通知に応答するためのコードと
を含むコンピュータプログラムプロダクト。
【請求項２２】
前記コンピュータ読取可能媒体は、ユーザに対する前記ユーザプロファイル情報を受信するためのコードをさらに含み、
前記ユーザプロファイル情報は、少なくとも１つのロケーションと、前記少なくとも１つのロケーションのそれぞれに関連する時間期間とを含む請求項２１記載のコンピュータプログラムプロダクト。
【請求項２３】
前記受信したポジションロケーションは、ＧＰＳ座標を含む請求項２１記載のコンピュータプログラムプロダクト。
【請求項２４】
前記受信したポジションロケーションは、ユーザ報告されたロケーション、または、実際のロケーションのうちの少なくとも１つをさらに含む請求項２３記載のコンピュータプログラムプロダクト。
【請求項２５】
前記取得したロケーション情報は、前記失敗した相関と前記決定したブラックアウト期間とに対応するロケーションを含む請求項２１記載のコンピュータプログラムプロダクト。
【請求項２６】
前記相関させるためのコードは、
前記受信したポジションロケーションを実際のロケーションと相関させ、
実際のロケーションと相関していないポジションロケーションを、前記ユーザプロファイル情報と相関させ、
前記相関が失敗したポジションロケーションを、実際のロケーションまたは前記ユーザプロファイル情報と相関していないポジションロケーションとして、決定する
請求項２１記載のコンピュータプログラムプロダクト。
【請求項２７】
前記緊急事態の通知に応答するためのコードは、前記ユーザプロファイル情報または報告された緊急時のポジションロケーションのうちの少なくとも１つに基づいて決定された緊急時のロケーションにいるユーザに付き添うように救急隊員に要求する請求項２１記載のコンピュータプログラムプロダクト。
【請求項２８】
前記コンピュータ読取可能媒体は、
前記緊急事態の通知とともに緊急時のポジションロケーションを受信するためのコードと、
前記緊急時のロケーションを決定するために、前記緊急時のポジションロケーションを、実際のロケーションまたは前記ユーザプロファイル情報のうちの少なくとも１つと相関させるためのコードと、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善するためのコードと
をさらに含む請求項２７記載のコンピュータプログラムプロダクト。
【請求項２９】
前記コンピュータ読取可能媒体は、緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定するためのコードをさらに含む請求項２７記載のコンピュータプログラムプロダクト。
【請求項３０】
コンピュータ読取可能媒体を具備するコンピュータプログラムプロダクトにおいて、
前記コンピュータ読取可能媒体は、
少なくとも１つのロケーションと、前記少なくとも１つのロケーションのそれぞれに関連する時間期間とを含む、ユーザに対するユーザプロファイル情報を受信するためのコードと、
前記ユーザの複数のポジションロケーションを受信するためのコードと、
前記受信したポジションロケーションにギャップがあるか否かに基づいて、ブラックアウト期間を決定するためのコードと、
前記相関が失敗したポジションロケーションを決定するために、前記受信したポジションロケーションを、前記ユーザプロファイル情報と相関させるためのコードと、
前記決定したブラックアウト期間と、前記受信したポジションロケーションの前記決定した相関の失敗とに対応するロケーションを、前記ユーザから取得するためのコードと、
前記ユーザから取得したロケーションに基づいて、前記ユーザプロファイル情報を更新するためのコードと、
緊急事態の通知を受信するためのコードと、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求するためのコードとを含むコンピュータプログラムプロダクト。
【請求項３１】
ワイヤレス通信のための装置において、
ユーザプロファイル情報を保持するように、
複数のポジションロケーションを受信するように、
失敗した相関を決定するために、前記受信したポジションロケーションを相関させるように、
前記受信したポジションロケーションにギャップがあるか否かに基づいて、ブラックアウト期間を決定するように、
前記失敗した相関と前記ブラックアウト期間とに対するロケーション情報を取得するように、
前記取得したロケーション情報に基づいて、前記ユーザプロファイル情報を更新するように、
緊急事態の通知を受信するように、
前記ユーザプロファイル情報、または、前記緊急事態の通知とともに受信した緊急時のポジションロケーションのうちの少なくとも１つに基づいて、前記緊急事態の通知に応答するように
構成されている処理システムを具備する装置。
【請求項３２】
前記処理システムは、ユーザに対する前記ユーザプロファイル情報を受信するようにさらに構成され、
前記ユーザプロファイル情報は、少なくとも１つのロケーションと、前記少なくとも１つのロケーションのそれぞれに関連する時間期間とを含む請求項３１記載の装置。
【請求項３３】
前記受信したポジションロケーションは、ＧＰＳ座標を含む請求項３１記載の装置。
【請求項３４】
前記受信したポジションロケーションは、ユーザ報告されたロケーション、または、実際のロケーションのうちの少なくとも１つをさらに含む請求項３３記載の装置。
【請求項３５】
前記取得したロケーション情報は、前記失敗した相関と前記決定したブラックアウト期間とに対応するロケーションを含む請求項３１記載の装置。
【請求項３６】
前記受信したポジションロケーションを相関させるために、
前記処理システムは、
前記受信したポジションロケーションを実際のロケーションと相関させるように、
実際のロケーションと相関していないポジションロケーションを、前記ユーザプロファイル情報と相関させるように、
前記相関が失敗したポジションロケーションを、実際のロケーションまたは前記ユーザプロファイル情報と相関していないポジションロケーションとして、決定するように
構成されている請求項３１記載の装置。
【請求項３７】
前記緊急事態の通知に応答するために、前記処理システムは、前記ユーザプロファイル情報または報告された緊急時のポジションロケーションのうちの少なくとも１つに基づいて決定された緊急時のロケーションにいるユーザに付き添うように救急隊員に要求するように構成されている請求項３１記載の装置。
【請求項３８】
前記処理システムは、
前記緊急事態の通知とともに緊急時のポジションロケーションを受信するように、
前記緊急時のロケーションを決定するために、前記緊急時のポジションロケーションを、実際のロケーションまたは前記ユーザプロファイル情報のうちの少なくとも１つと相関させるように、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善するように
さらに構成されている請求項３７記載の装置。
【請求項３９】
前記処理システムは、緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定するようにさらに構成されている請求項３７記載の装置。
【請求項４０】
ワイヤレス通信のための装置において、
少なくとも１つのロケーションと、前記少なくとも１つのロケーションのそれぞれに関連する時間期間とを含む、ユーザに対するユーザプロファイル情報を受信するように、
前記ユーザの複数のポジションロケーションを受信するように、
前記受信したポジションロケーションにギャップがあるか否かに基づいて、ブラックアウト期間を決定するように、
前記相関が失敗したポジションロケーションを決定するために、前記受信したポジションロケーションを、前記ユーザプロファイル情報と相関させるように、
前記決定したブラックアウト期間と、前記受信したポジションロケーションの前記決定した相関の失敗とに対応するロケーションを、前記ユーザから取得するように、
前記ユーザから取得したロケーションに基づいて、前記ユーザプロファイル情報を更新するように、
緊急事態の通知を受信するように、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求するように
構成されている処理システムを具備する装置。
【発明の詳細な説明】
【背景】
【０００１】
分野
以下の説明は、一般的にワイヤレス通信に関し、さらに詳細には、支援型ユーザプロファイルによる性能向上した屋内ポジションロケーション（position location）のための方法および装置に関する。
【０００２】
背景
今日、ワイヤレス搬送波を通して提供される多数のポジションロケーションサービスが存在する。これらのサービスは、２つの共通したシステムコンポーネントからなる：１）定期的に、または、要求に応じて、そのポジションロケーションを報告するデバイスと、２）デバイスの現在のポジションを表示するまたは問い合わせるために、ウェブポータル、または、移動体ハンドセット上で動作しているアプリケーションのいずれかを介するユーザインターフェースである。
【０００３】
ＧＰＳおよび支援型ＧＰＳ（Ａ−ＧＰＳ）の現在の技術を前提とすると、ポジションロケーションは、デバイスが障害物のない屋外のポジションロケーションにあるときに、おおよそ５ｍ〜５０ｍの精度を有している。ＧＰＳ信号は、屋内受信に対して非常に不良であることが多い。ＧＰＳ信号が受信されない場合には、ポジションロケーションを決定できない。多くの企業が、市場において、性能向上した屋内ポジションロケーションの提供に取り組むか、または、そのための解決策を有している。よく知られているアプローチのうちの１つがＱｕａｌｃｏｍｍのＳｎａｐＴｒａｃｋであり、これは、弱いＧＰＳ信号を見つけるために、部分的なＧＰＳ情報（すなわち、４個より少ないＧＰＳ衛星からの情報）とともに、ワイヤレスハンドセットと同じ衛星を同時に検出できる基準ＧＰＳ受信機を持つロケーションサーバを使用する。ワイヤレスハンドセットは、ＧＰＳ衛星とワイヤレスモバイルネットワークの双方から測定結果を収集する。これらの測定結果は、ポジション推定を生成させるために、ロケーションサーバにより組み合わされる。
【０００４】
屋内のポジションロケーションに対して、ＳｋｙＨｏｏｋによる、Ｗｉ−Ｆｉ（登録商標）アクセスポイント（ＡＰ）を使用した１つの著名な解決策が存在する。基礎となる技術は、Ｗｉ−Ｆｉ ＡＰのポジションの知識を必要とする。Ｗｉ−Ｆｉ可能なハンドセットに対して、Ｗｉ−Ｆｉ可能なハンドセットは、Ｗｉ−Ｆｉ ＡＰロケーションを使用して、そのポジションロケーションを決定するだろう。この技術は、Ｗｉ−Ｆｉ ＡＰおよび移動体ハンドセットの正確なロケーションがＷｉ−Ｆｉ可能であることを必要とする。この方法は、屋内ポジション決定のための最も説得力のある解決策だと考えられているが、このアプローチには多くの欠点がある。第１に、Ｗｉ-Ｆｉ ＡＰのポジションを絶えず決定しなければならないので、このアプローチは、容易にはシステムの拡張ができない。第２に、ＡＰロケーションの総合データベースを増強するために、私有地（例えば、企業、大型の住宅用団地）内のＷｉ-Ｆｉ ＡＰにアクセスできない。第３に、すべてのハンドセットがＷｉ−Ｆｉ可能ではないので、すべてのハンドセットがこの技術を利用できるわけではない。第４に、Ｗｉ-Ｆｉ ＡＰがないエリア内に、または、Ｗｉ-Ｆｉ ＡＰポジションが知られていないエリア内に、ユーザが入り込むかもしれない。
【０００５】
したがって、上述のような制限のない、性能向上した屋内ポジションロケーションに対する必要性が存在する。
【概要】
【０００６】
開示のある態様では、ワイヤレス通信の方法は、ユーザプロファイル情報を保持することと、複数のポジションロケーションを受信することと、失敗した相関を決定するために、受信したポジションロケーションを相関させることと、受信したポジションロケーションにギャップがあるか否かに基づいて、ブラックアウト期間を決定することと、失敗した相関とブラックアウト期間とに対するロケーション情報を取得することと、取得したロケーション情報に基づいて、ユーザプロファイル情報を更新することと、緊急事態の通知を受信することと、ユーザプロファイル情報、または、緊急事態の通知とともに受信した緊急時のポジションロケーションのうちの少なくとも１つに基づいて、緊急事態の通知に応答することとを含む。
【０００７】
開示のある態様では、ワイヤレス通信の方法は、ユーザに対するユーザプロファイル情報を受信することを含む。ユーザプロファイル情報は、少なくとも１つのロケーションと、少なくとも１つのロケーションのそれぞれに関連する時間期間とを含む。方法は、ユーザの複数のポジションロケーションを受信することと、受信したポジションロケーションにギャップがあるか否かに基づいて、ブラックアウト期間を決定することと、相関が失敗したポジションロケーションを決定するために、受信したポジションロケーションをユーザプロファイル情報と相関させることと、決定したブラックアウト期間と、受信したポジションロケーションの決定した相関の失敗とに対応するロケーションを、ユーザから取得することと、ユーザから取得したロケーションに基づいて、ユーザプロファイル情報を更新することと、緊急事態の通知を受信することと、ユーザプロファイル情報、または、緊急事態の通知とともに受信した緊急時のポジションロケーションのうちの少なくとも１つに基づいて決定されたロケーションにいるユーザに付き添うように救急隊員に要求することとを含む。
【０００８】
開示のある態様では、ワイヤレス通信のための装置は、ユーザプロファイル情報を保持する手段と、複数のポジションロケーションを受信する手段と、失敗した相関を決定するために、受信したポジションロケーションを相関させる手段と、受信したポジションロケーションにギャップがあるか否かに基づいて、ブラックアウト期間を決定する手段と、失敗した相関とブラックアウト期間とに対するロケーション情報を取得する手段と、取得したロケーション情報に基づいて、ユーザプロファイル情報を更新する手段と、緊急事態の通知を受信する手段と、ユーザプロファイル情報、または、緊急事態の通知とともに受信した緊急時のポジションロケーションのうちの少なくとも１つに基づいて、緊急事態の通知に応答する手段とを具備する。
【０００９】
開示のある態様では、ワイヤレス通信のための装置は、ユーザに対するユーザプロファイル情報を受信する手段を具備する。ユーザプロファイル情報は、少なくとも１つのロケーションと、少なくとも１つのロケーションのそれぞれに関連する時間期間とを含む。装置は、さらに、ユーザの複数のポジションロケーションを受信する手段と、受信したポジションロケーションにギャップがあるか否かに基づいて、ブラックアウト期間を決定する手段と、相関が失敗したポジションロケーションを決定するために、受信したポジションロケーションをユーザプロファイル情報と相関させる手段と、決定したブラックアウト期間と、受信したポジションロケーションの決定した相関の失敗とに対応するロケーションを、ユーザから取得する手段と、ユーザから取得したロケーションに基づいて、ユーザプロファイル情報を更新する手段と、緊急事態の通知を受信する手段と、ユーザプロファイル情報、または、緊急事態の通知とともに受信した緊急時のポジションロケーションのうちの少なくとも１つに基づいて決定されたロケーションにいるユーザに付き添うように救急隊員に要求する手段とを具備する。
【００１０】
開示のある態様では、コンピュータプログラムプロダクトは、コンピュータ読取可能媒体を具備する。コンピュータ読取可能媒体は、ユーザプロファイル情報を保持するためのコードと、複数のポジションロケーションを受信するためのコードと、失敗した相関を決定するために、受信したポジションロケーションを相関させるためのコードと、受信したポジションロケーションにギャップがあるか否かに基づいて、ブラックアウト期間を決定するためのコードと、失敗した相関とブラックアウト期間とに対するロケーション情報を取得するためのコードと、取得したロケーション情報に基づいて、ユーザプロファイル情報を更新するためのコードと、緊急事態の通知を受信するためのコードと、ユーザプロファイル情報、または、緊急事態の通知とともに受信した緊急時のポジションロケーションのうちの少なくとも１つに基づいて、緊急事態の通知に応答するためのコードとを含む。
【００１１】
開示のある態様では、コンピュータプログラムプロダクトは、コンピュータ読取可能媒体を具備する。コンピュータ読取可能媒体は、ユーザに対するユーザプロファイル情報を受信するためのコードを含む。ユーザプロファイル情報は、少なくとも１つのロケーションと、少なくとも１つのロケーションのそれぞれに関連する時間期間とを含む。コンピュータ読取可能媒体は、さらに、ユーザの複数のポジションロケーションを受信するためのコードと、受信したポジションロケーションにギャップがあるか否かに基づいて、ブラックアウト期間を決定するためのコードと、相関が失敗したポジションロケーションを決定するために、受信したポジションロケーションを、ユーザプロファイル情報と相関させるためのコードと、決定したブラックアウト期間と、受信したポジションロケーションの決定した相関の失敗とに対応するロケーションを、ユーザから取得するためのコードと、ユーザから取得したロケーションに基づいて、ユーザプロファイル情報を更新するためのコードと、緊急事態の通知を受信するためのコードと、ユーザプロファイル情報、または、緊急事態の通知とともに受信した緊急時のポジションロケーションのうちの少なくとも１つに基づいて決定されたロケーションにいるユーザに付き添うように救急隊員に要求するためのコードとを含む。
【００１２】
開示のある態様では、ワイヤレス通信のための装置は、処理システムを具備する。処理システムは、ユーザプロファイル情報を保持するように、複数のポジションロケーションを受信するように、失敗した相関を決定するために、受信したポジションロケーションを相関させるように、受信したポジションロケーションにギャップがあるか否かに基づいて、ブラックアウト期間を決定するように、失敗した相関とブラックアウト期間とに対するロケーション情報を取得するように、取得したロケーション情報に基づいて、ユーザプロファイル情報を更新するように、緊急事態の通知を受信するように、ユーザプロファイル情報、または、緊急事態の通知とともに受信した緊急時のポジションロケーションのうちの少なくとも１つに基づいて、緊急事態の通知に応答するように構成されている。
【００１３】
開示のある態様では、ワイヤレス通信のための装置は、処理システムを具備する。処理システムは、ユーザに対するユーザプロファイル情報を受信するように構成されている。ユーザプロファイル情報は、少なくとも１つのロケーションと、少なくとも１つのロケーションのそれぞれに関連する時間期間とを含む。処理システムは、さらに、ユーザの複数のポジションロケーションを受信するように、受信したポジションロケーションにギャップがあるか否かに基づいて、ブラックアウト期間を決定するように、相関が失敗したポジションロケーションを決定するために、受信したポジションロケーションを、ユーザプロファイル情報と相関させるように、決定したブラックアウト期間と、受信したポジションロケーションの決定した相関の失敗とに対応するロケーションを、ユーザから取得するように、ユーザから取得したロケーションに基づいて、ユーザプロファイル情報を更新するように、緊急事態の通知を受信するように、ユーザプロファイル情報、または、緊急事態の通知とともに受信した緊急時のポジションロケーションのうちの少なくとも１つに基づいて決定されたロケーションにいるユーザに付き添うように救急隊員に要求するように構成されている。
【図面の簡単な説明】
【００１４】
【図１】図１は、例示的な装置に対するハードウェアコンフィギュレーションを図示した概念的なブロックダイヤグラムである。
【図２】図２は、ユーザの動きおよびユーザロケーションの定期的な報告を図示した概念的なダイヤグラムである。
【図３】図３は、性能向上した屋内ポジションロケーションに対する例示的な方法を描写している。
【図４】図４は、緊急時のイベントの間の実行のシーケンスを図示したダイヤグラムである。
【図５】図５は、例示的な方法のフローチャートである。
【図６】図６は、例示的な装置のモジュールのダイヤグラムである。
【詳細な説明】
【００１５】
添付の図面を参照して、新規のシステム、装置、および、方法の様々な態様をここより後でさらに十分に説明する。しかしながら、教示する開示は、多くの異なる形態で具現化されてもよく、本開示全体を通して提示される任意の特定の構造または機能に限定されるものとして解釈すべきではない。むしろ、これらの態様は、本開示が詳細かつ完成するように提供され、本開示の範囲を当業者に十分に伝えるだろう。ここでの教示に基づいて、本発明の他の何らかの態様から独立して、または、本発明の他の何らかの態様と組み合わせて、実現されるか否かにかかわらず、本開示の範囲が、ここで開示する新規のシステム、装置、および、方法のあらゆる態様をカバーするように意図されていることを、当業者は正しく認識すべきである。例えば、ここで述べる任意の数の態様を使用して、装置が実現されてもよく、または、方法が実施されてもよい。加えて、本発明の範囲は、ここで述べる発明の様々な態様に加えて、または、ここで述べる発明の様々な態様以外に、他の構造、機能性、あるいは、構造および機能性を使用して実施される、このような装置または方法をカバーすることを意図している。請求項の１つ以上のエレメントにより、ここで開示する任意の態様を具現化してもよいことを理解すべきである。
【００１６】
本発明の様々な態様を組み込むのに適した装置の例は、これに限定されないが、ワイヤレスネットワーク中で動作することが可能なＵＥを含む。ＵＥは、移動電話機、ユーザ端末、移動局、移動デバイス、加入者局、ワイヤレスデバイス、端末、アクセス端末、ノード、ハンドヘルドデバイス、または、他の何らかの適切な専門用語と呼ばれてもよい。本開示全体を通して説明する様々な概念は、これらの特定の専門語にかかわらず、すべての適切な装置に適用されることを意図している。
【００１７】
ここで、図１を参照して、装置の様々な態様を提示する。図１は、装置に対するハードウェアコンフィギュレーションを図示した概念的なブロックダイヤグラムである。装置１００は、プロセッサ１０４と、プロセッサ１０４に結合されている機械読取可能媒体（メモリ）１０８と、プロセッサ１０４に結合されているトランシーバ１０６とを備える。トランシーバ１０６は、ＧＰＳ受信機を備える。プロセッサ１０４および機械読取可能媒体１０８は、合わせて、処理システム１１０と呼ばれてもよい。しかしながら、処理システム１１０は、あるプロセッサ１０４コンフィギュレーションに対して、機械読取可能媒体１０８を有することなく、プロセッサ１０４を備えてもよい。
【００１８】
処理システム１１０は、１つ以上のプロセッサを備えてもよい。１つ以上のプロセッサは、汎用マイクロプロセッサ、マイクロ制御装置、デジタル信号プロセッサ（ＤＳＰ）、フィールドプログラム可能ゲートアレイ（ＦＰＧＡ）、プログラム可能論理デバイス（ＰＬＤ）、制御装置、状態機械、ゲート論理、ディスクリートハードウェアコンポーネント、あるいは、情報の計算または他の操作を実行できる他の何らかの適切なエンティティの任意の組み合わせにより実現されてもよい。
【００１９】
処理システム１１０はまた、ソフトウェアを記憶するための機械読取可能媒体１０８を備えてもよい。ソフトウェア、ファームウェア、ミドルウェア、マイクロコード、ハードウェア記述言語、または、そうでないものと呼ばれるか否かにかかわらず、任意のタイプの命令を意味するように、ソフトウェアを広く解釈すべきである。命令は、（例えば、ソースコードフォーマットでの、バイナリコードフォーマットでの、実行可能なコードフォーマットでの、または、コードの他の何らかの適切なフォーマットでの）コードを含んでもよい。命令は、１つ以上のプロセッサにより実行されたときに、以下で説明する様々な機能とともに、他のプロトコル処理機能を、処理システム１１０に実行させる。
【００２０】
機械読取可能媒体１０８は、プロセッサのうちの１つ以上の中に統合された記憶装置を含んでもよい。機械読取可能媒体１０８はまた、ランダムアクセスメモリ（ＲＡＭ）、フラッシュメモリ、リードオンリーメモリ（ＲＯＭ）、プログラム可能リードオンリーメモリ（ＰＲＯＭ）、消去可能なＰＲＯＭ（ＥＰＲＯＭ）、レジスタ、ハードディスク、リムーバブルディスク、ＣＤ−ＲＯＭ、ＤＶＤ、または、他の何らかの適切な記憶デバイスのような、１つ以上のプロセッサの外部にある記憶装置を含んでもよい。加えて、機械読取可能媒体１０８は、データ信号をエンコードする伝送路または搬送波を含んでもよい。当業者は、処理システムに対する説明した機能性を実現するのに最良の方法を認識するだろう。
【００２１】
ＵＥ１００は、移動局（すなわち、セル電話機）であってもよい。ＵＥ１００は、さらに、緊急に助けを求めるためにユーザがトリガできる緊急時ボタンを備えてもよい。代替的に、または、加えて、ＵＥ１００は、緊急に助けを求めることを自動的にトリガするために、潜在的な緊急事態を検出する（例えば、転倒の検出）センサを備えてもよい。ＵＥ１００は、トランシーバ１０６を介してＧＰＳ信号を受信するように、トランシーバ１０６を介してそのＧＰＳロケーションをサービングセルに送信するように構成されていてもよく、サービングセルが、ポジションロケーションサーバに情報をルーティングする。
【００２２】
図２は、ユーザの動きおよびユーザロケーションの定期的な報告を図示した概念的なダイヤグラム２００である。ＵＥ１００は、例えば、ロケーションＬ１ないしＬ９のような、様々なロケーションに、ユーザ５０によって持ち運ばれる。ＵＥ１００は、そのＧＰＳロケーションを定期的に報告し、そのサービングセルにそのＧＰＳロケーションを送信し、サービングセルが、ポジションロケーションサーバにＧＰＳロケーション情報をルーティングする。例えば、Ｌ１、Ｌ２、Ｌ８、および、Ｌ９は、シニアリビングセンターであってもよく、Ｌ３およびＬ４は、ショッピングセンターであってもよく、Ｌ６は、街路であってもよく、Ｌ７は、パン屋であってもよい。ＵＥ１００が、そのポジションを把握するのに十分なＧＰＳ信号を受信できなかったために、Ｌ５は、報告されていないＧＰＳポジション（すなわち、ブラックアウト期間）である。
【００２３】
図３は、性能向上した屋内ポジションロケーションに対する例示的な方法３００を描写している。図３において示されているように、ユーザ５０から情報が収集される（３５１）。情報は、ユーザの日中の居場所のロケーションを含む。情報は、セールスマン３０４によって収集されてもよい。代替的に、自動化されたシステムによって情報が収集されてもよい。１つのコンフィギュレーションでは、ユーザ５０が、セールスマン３０４によるサービスに加入し、セールスマン３０４が、ユーザプロファイル情報を収集する。ユーザプロファイル情報は、１組のロケーションを含む。加えて、ユーザプロファイル情報は、ユーザ５０がこれらのロケーションにいることが予想される時間帯と曜日、年月日（the time of day and the day of the week, month, or year）を含む。例えば、ユーザ５０は、毎日午後１：３０までと、午後５時以降にシニアリビングセンターにいることと、毎週水曜日の午後２時から午後３時まで特定のショッピングセンターを訪れることとを報告してもよい。その後、ユーザ５０から収集されたロケーションおよび時間の情報は、ポジションロケーションサーバ３０２に提供され、データベース中に記憶される（３５２）。
【００２４】
ユーザ５０によって持ち運ばれるＵＥ１００は、日中を通して、定期的なポジションフィックス（position fix）を行い、ポジションロケーションサーバ３０２にフィックスを報告する（３５３）。１つのコンフィギュレーションでは、報告されたフィックスはＧＰＳ座標である。しかしながら、ＵＥ１００は、ＧＰＳ座標に基づいて、実際のロケーション（例えば、特定のパン屋）を決定して、ＧＰＳ座標ではなく実際のロケーションを報告してもよい。別のコンフィギュレーションでは、ＵＥ１００は、ユーザがテキストとしてＵＥ１００に入力する、ユーザ提供されたロケーションを報告する。ポジションロケーションサーバ３０２は、失敗した相関を決定するために、受信したポジションロケーションを相関させて、受信したポジションロケーションにギャップがあるか否かに基づいて、ブラックアウト期間を決定する（３５４）。相関させるために、ポジションロケーションサーバは、受信したポジションロケーションを実際のロケーションと相関させ、実際のロケーションと相関していないポジションロケーションを、ユーザプロファイル情報と相関させ、相関に失敗したポジションロケーションを、実際のロケーションまたはユーザプロファイル情報と相関していないポジションロケーションとして決定する。ポジションロケーションサーバ３０２は、失敗した相関とブラックアウト期間とを示す情報をデータベース中に記憶する（３５４）。ブラックアウト期間は、ポジションロケーションサーバ３０２により受信されなかったポジションフィックスである。失敗した相関は、ユーザ報告されたロケーションに十分に近くないポジションフィックスである。例えば、ポジションロケーションサーバ３０２は、ユーザ５０が午後１：３０までシニアリビングセンターにおり（Ｌ１、Ｌ２）、午後２時から午後３時までショッピングセンターにおり（Ｌ３、Ｌ４）、午後３：３０にブラックアウト期間であり（Ｌ５）、午後４時に街路におり（Ｌ６）、午後４：３０にパン屋におり（Ｌ７）、午後５時以降にシニアリビングセンターにいた（Ｌ８、Ｌ９）ことを示すポジションフィックスを受信してもよい。その後、ポジションロケーションサーバ３０２は、ブラックアウト期間に対してポジションフィックスＬ５にフラグを立て、失敗した相関に対して、Ｌ６およびＬ７にフラグを立ててもよい。
【００２５】
カスタマーサービスエージェント３０６は、ユーザ５０に定期的に連絡を取り、ユーザ５０が健康であるかをチェックし、デバイスが正しく動いているか確かめるためにＵＥ１００をテストしてもよい。その際、カスタマーサービスエージェント３０６は、ブラックアウト期間と失敗した相関とに関連する特定の時間にユーザがどこにいたかについても、ユーザ５０から情報を集めてもよい（３５５）。先の例に関して、カスタマーサービスエージェント３０６は、ポジションフィックスＬ５ないしＬ７の間、ユーザがどこにいたかについてユーザ５０から情報を集めてもよい。代替的に、カスタマーサービスエージェント３０６ではなく、自動化されたシステムが使用されてもよい。１つのコンフィギュレーションでは、ユーザの居場所のアンケートをＵＥ１００上で記入するようにユーザが指示されてもよく、ポジションロケーションサーバ３０２が、完成されたアンケートを検索（retrieve）してもよい。その後、集められた情報は、ポジションロケーションサーバ３０２に通信される（３５６）。ポジションロケーションサーバ３０２は、この情報によりそのデータベースを更新し、Ｌ６およびＬ７と同じＧＰＳロケーションにおけるポジションフィックスが、結果として失敗した相関にならないように、それぞれのユーザプロファイルを更新する。
【００２６】
経時的に、ポジションロケーションサーバにおけるユーザプロファイルは、日中の任意の時間と任意の曜日、任意の年月日（any hour of the day and any day of the week, month, or year）に対するユーザのポジションロケーションに関する正確な情報を捕捉するだろう。先に論じたような、ＧＰＳ、Ａ−ＧＰＳ、およびＷｉ−Ｆｉロケーション技術に加えて、先述した方法を使用して、緊急時のイベントの間のユーザポジションロケーションの精度を改善してもよい。
【００２７】
図４は、緊急時のイベントの間の実行のシーケンスを図示したダイヤグラムである。ＵＥ１００は、そのポジションロケーションを定期的に報告する（１）。ポジションロケーションは、ポジションロケーションサーバ３０２中に記憶されているユーザのプロファイル３０３と相関される（２）。先に論じたように、ユーザのプロファイル３０３は、ロケーションおよび時間期間の情報を含む、すなわち、複数のロケーションと、ユーザがそのロケーションにいるだろう関連する時間期間とを含む。ユーザ５０によって、または、ＵＥ１００中の転倒検出センサによって自動的に、緊急時のイベントがトリガされてもよい（３）。ＵＥ１００は、その後、緊急時のイベントをトリガして、ポジションロケーションサーバ３０２に緊急事態を知らせる（４）。ＵＥ１００がその緊急時のポジションロケーションを取得できる場合には、ＵＥ１００も、その緊急時のポジションロケーションをポジションロケーションサーバ３０２に提供する（４）。ポジションロケーションサーバ３０２は、緊急事態の通知を受信して、緊急時のイベントを処理する（５）。
【００２８】
緊急時のポジションロケーションがＵＥ１００によって提供される場合に、ポジションロケーションサーバ３０２は、提供された緊急時のポジションロケーションをユーザプロファイル３０３と相関させる（６）。すなわち、ポジションロケーションサーバ３０２は、緊急時のポジションロケーションを、ユーザプロファイル３０３中にリストされているロケーションと相関させる。緊急時のポジションロケーションが、受信した緊急時のイベントとともに提供されない（すなわち、受信した緊急時のイベントがブラックアウト期間に関連する）場合に、または、緊急時のポジションロケーションが、ユーザプロファイル３０３中にリストされているロケーションと相関（すなわち、一致）しない場合に、ポジションロケーションサーバ３０２は、ユーザプロファイル３０３中の情報に基づいて、緊急時のポジションロケーションを改善しようと試みる（７）。緊急時のポジションロケーションを改善するときに、ポジションロケーションサーバ３０２は、緊急時のポジションロケーションと、提供されている場合には、ユーザプロファイル３０３中の情報とに基づいて、ユーザの最も可能性の高いポジションロケーションを決定する。
【００２９】
緊急時のポジションロケーションが緊急時のイベントとともに受信され、緊急時のポジションロケーションが、ユーザプロファイル３０３中のユーザ報告されたロケーションと相関する場合に、ユーザ報告されたロケーションが、救急隊員に報告される。緊急時のポジションロケーションが緊急時のイベントとともに受信され、緊急時のポジションロケーションが、ユーザプロファイル３０３中のユーザ報告されたロケーションと相関しないが、ユーザプロファイル３０３中のユーザ報告されたロケーションの予め規定された半径内または予め定められた半径内にある場合には、ユーザ報告されたロケーションのポジションロケーションと一致するように緊急時のポジションロケーションが改善され、ユーザ報告されたロケーションが、救急隊員に報告される。緊急時のポジションロケーションが緊急時のイベントとともに受信され、緊急時のポジションロケーションが、ユーザプロファイル３０３中のユーザ報告されたロケーションと相関せず、ユーザプロファイル３０３中のユーザ報告されたロケーションの予め規定された半径内にない場合に、受信した緊急時のポジションロケーションは、改善されず、そのまま報告される。最後に、緊急時のポジションロケーションが緊急時のイベントとともに受信されない（すなわち、緊急時のイベントがブラックアウト期間を有している）場合に、ポジションロケーションサーバ３０２は、ユーザの最も可能性の高いポジションロケーションを予測しようとする。ポジションロケーションサーバ３０２は、以前に報告されたポジションロケーションと、以前に報告されたポジションロケーションと相関している、ユーザプロファイル３０３中のロケーションと、ユーザプロファイル３０３中の記録されたブラックアウト期間と、以前に報告されたポジションロケーションからこれらの記録されたブラックアウト期間までの間にユーザ報告されたロケーションの距離と、以前に報告されたポジションロケーションと緊急時のイベントとの間の時間の長さとに基づいて、ユーザの最も可能性の高いポジションロケーションを予測する。
【００３０】
ポジションロケーションサーバ３０２が、緊急時のポジションロケーションを改善した後に、ポジションロケーションサーバ３０２は、ユーザの改善されたポジションロケーションを公的緊急時支援サービス３１０に送る（８）。ポジションロケーションサーバ３０２は、ユーザの性別、年齢、病状（medical condition）、および、任意の救急隊員に有用な他の医療情報のようなユーザ情報も、公的緊急時支援サービス３１０に提供してもよい。その後、ポジションロケーションサーバ３０２により提供された情報に基づいて、公的緊急時支援サービス３１０は、ユーザ５０を支援するために、救急隊員を派遣する（９）。
【００３１】
図５は、例示的な方法のフローチャート５００である。方法は、ユーザプロファイル情報を保持すること（５０２）と、複数のポジションロケーションを受信すること（５０４）と、失敗した相関を決定するために、受信したポジションロケーションを相関させること（５０６）と、受信したポジションロケーションにギャップがあるか否かに基づいて、ブラックアウト期間を決定すること（５０８）とを含む。方法は、さらに、失敗した相関とブラックアウト期間とに対するロケーション情報を取得すること（５１０）を含む。ユーザプロファイル情報は、取得したロケーション情報に基づいて更新される（５１２）。緊急事態の通知が受信された（５１４）ときに、方法は、ユーザプロファイル情報、または、緊急事態の通知とともに受信した緊急時のポジションロケーションのうちの少なくとも１つに基づいて、緊急事態の通知に応答することを含む。
【００３２】
１つのコンフィギュレーションでは、ユーザに対するユーザプロファイル情報が受信される。ユーザプロファイル情報は、少なくとも１つのロケーションと、少なくとも１つのロケーションのそれぞれに関連する時間期間とを含む。１つのコンフィギュレーションでは、受信したポジションロケーションはＧＰＳ座標である。さらに、受信したポジションロケーションは、ユーザ報告されたロケーション、または、実際のロケーションであってもよい。すなわち、ユーザが、実際のロケーションをＵＥ１００に提供してもよく、または、ＵＥ１００が、ＧＰＳ座標を実際のロケーションに変換して、実際のロケーションをポジションロケーションサーバ３０２に報告してもよい。１つのコンフィギュレーションでは、ステップ５１０において取得したロケーション情報は、失敗した相関と決定したブラックアウト期間とに対応するロケーションを含む。
【００３３】
１つのコンフィギュレーションでは、ステップ５０６の相関させることは、受信したポジションロケーションを実際のロケーションと相関させることと、実際のロケーションと相関していないポジションロケーションを、ユーザプロファイル情報と相関させることと、相関が失敗したポジションロケーションを、実際のロケーションまたはユーザプロファイル情報と相関していないポジションロケーションとして決定することとを含む。例えば、受信したポジションロケーションは、特定のパン屋から３０．４８メートル（１００フィート）であることがある。このような状況では、受信したポジションロケーションは、特定のパン屋と相関しないだろう。しかしながら、ポジションロケーションサーバ３０２は、受信したポジションロケーションを、ユーザプロファイル情報と相関させるだろう。ユーザプロファイル情報が、ユーザが訪れるロケーションとして特定のパン屋を含んでいる場合に、受信したポジションロケーションの実際のロケーションは、特定のパン屋として決定されるだろう。ユーザプロファイル情報が、ユーザが訪れるロケーションとして特定のパン屋を含んでいない場合に、相関していないポジションロケーションとして、または、失敗した相関として、受信したポジションロケーションにフラグが立てられるだろう。その理由は、受信したポジションロケーションが、実際のロケーションまたはユーザプロファイル情報と相関していないからである。
【００３４】
１つのコンフィギュレーションでは、ステップ５１６における、緊急事態の通知に応答することは、ユーザプロファイル情報または報告された緊急時のポジションロケーションのうちの少なくとも１つに基づいて決定された緊急時のロケーションにいるユーザに付き添うように、救急隊員に要求することを含む。１つのコンフィギュレーションでは、方法は、さらに、緊急事態の通知とともに緊急時のポジションロケーションを受信することと、緊急時のロケーションを決定するために、緊急時のポジションロケーションを、実際のロケーションまたはユーザプロファイル情報のうちの少なくとも１つと相関させることと、緊急時のポジションロケーションが、実際のロケーションまたはユーザプロファイル情報のうちの少なくとも１つと相関しないが、ユーザプロファイル情報中のロケーションの予め定められた半径内にあるときに、緊急時のロケーションを改善することとを含む。緊急時のポジションロケーションを相関させて、緊急時のロケーションを改善するためのプロセスは、相関ステップ５０６に関連して説明したものと同じものである。
【００３５】
１つのコンフィギュレーションでは、方法は、緊急時のポジションロケーションが緊急事態の通知とともに受信されないときに、少なくとも１つの以前に受信したポジションロケーションと、ユーザプロファイル情報とに基づいて、緊急時のロケーションを決定することを含む。すなわち、緊急時のポジションロケーションが緊急事態の通知とともに受信されないときに、ポジションロケーションサーバ３０２は、以前に受信したポジションロケーションと、ユーザプロファイル情報とに基づいて、ユーザのロケーションの最良の予測を行わなければならない。
【００３６】
別のコンフィギュレーションでは、例示的な方法は、ユーザに対するユーザプロファイル情報を受信することを含む。ユーザプロファイル情報は、少なくとも１つのロケーションと、少なくとも１つのロケーションのそれぞれに関連する時間期間とを含む。方法は、さらに、ユーザの複数のポジションロケーションを受信することと、受信したポジションロケーションにギャップがあるか否かに基づいて、ブラックアウト期間を決定することと、相関が失敗したポジションロケーションを決定するために、受信したポジションロケーションをユーザプロファイル情報と相関させることとを含む。決定したブラックアウト期間と、受信したポジションロケーションの決定した相関の失敗とに対応するロケーションは、ユーザから取得される。ユーザプロファイル情報は、ユーザから取得したロケーションに基づいて、更新される。緊急事態の通知を受信したときに、方法は、ユーザプロファイル情報、または、緊急事態の通知とともに受信した緊急時のポジションロケーションのうちの少なくとも１つに基づいて決定されたロケーションにいるユーザに付き添うように、救急隊員に要求することを含む。
【００３７】
図６は、例示的な装置１００のモジュラーダイヤグラムである。装置１００は、ユーザプロファイル情報を保持するモジュール６０２と、複数のポジションロケーションを受信するモジュール６０４と、失敗した相関を決定するために、受信したポジションロケーションを相関させるモジュール６０６と、受信したポジションロケーションにギャップがあるか否かに基づいて、ブラックアウト期間を決定するモジュール６０８とを具備する。装置１００は、さらに、失敗した相関とブラックアウト期間とに対するロケーション情報を取得するモジュール６１０を具備する。モジュール６１２では、取得したロケーション情報に基づいて、ユーザプロファイル情報が更新される。モジュール６１４において緊急事態の通知を受信したときに、モジュール６１６は、ユーザプロファイル情報、または、緊急事態の通知とともに受信した緊急時のポジションロケーションのうちの少なくとも１つに基づいて、緊急事態の通知に応答する。
【００３８】
１つのコンフィギュレーションでは、装置１００は、ユーザプロファイル情報を保持する手段と、複数のポジションロケーションを受信する手段と、失敗した相関を決定するために、受信したポジションロケーションを相関させる手段と、受信したポジションロケーションにギャップがあるか否かに基づいて、ブラックアウト期間を決定する手段と、失敗した相関とブラックアウト期間とに対するロケーション情報を取得する手段と、取得したロケーション情報に基づいて、ユーザプロファイル情報を更新する手段と、緊急事態の通知を受信する手段と、ユーザプロファイル情報、または、緊急事態の通知とともに受信した緊急時のポジションロケーションのうちの少なくとも１つに基づいて、緊急事態の通知に応答する手段とを具備する。別のコンフィギュレーションでは、装置１００は、ユーザに対するユーザプロファイル情報を受信する手段を具備する。ユーザプロファイル情報は、少なくとも１つのロケーションと、少なくとも１つのロケーションのそれぞれに関連する時間期間とを含む。装置１００は、さらに、ユーザの複数のポジションロケーションを受信する手段と、受信したポジションロケーションにギャップがあるか否かに基づいて、ブラックアウト期間を決定する手段と、相関が失敗したポジションロケーションを決定するために、受信したポジションロケーションをユーザプロファイル情報と相関させる手段と、決定したブラックアウト期間と、受信したポジションロケーションの決定した相関の失敗とに対応するロケーションを、ユーザから取得する手段と、ユーザから取得したロケーションに基づいて、ユーザプロファイル情報を更新する手段と、緊急事態の通知を受信する手段と、ユーザプロファイル情報、または、緊急事態の通知とともに受信した緊急時のポジションロケーションのうちの少なくとも１つに基づいて決定されたロケーションにいるユーザに付き添うように救急隊員に要求する手段とを具備する。先述の手段は、先述の手段のそれぞれにおいて識別されている機能を実行するように構成されている処理システム１１０である。特に、先述の手段は、先述の手段のそれぞれにおいて識別されている機能を実行するように構成されているプロセッサ１０４である。
【００３９】
先の説明は、開示の完全な範囲を、任意の当業者が十分に理解できるように提供されている。ここで開示した様々な構成に対する様々な改良は、当業者に容易に明らかになるであろう。したがって、特許請求の範囲は、ここで説明した開示の様々な態様に限定されることを意図するものではなく、特許請求の範囲の文言と矛盾しない全範囲を許容すべきである。エレメントの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつかの”という用語は“１つ以上の”ことを指す。当業者に知られている、または、後に知られることになる、本開示全体で説明した様々な態様のエレメントに対するすべての構造的および機能的な均等物は、ここで参照により明確に組み込まれ、特許請求の範囲に含まれることを意図している。さらに、ここで開示したものは、このような開示が特許請求の範囲中に明示的に規定されているか否かにかかわらず、公共に捧げられることを意図していない。どの請求項のエレメントも、エレメントが“〜する手段”というフレーズを使用して明確に規定されない限り、または、方法の請求項のケースでは、エレメントが“〜する工程”というフレーズを使用して規定されない限り、合衆国法典第３５部第１１２条第６パラグラフの規定のもとで解釈すべきではない。
【図１】
2013521472.tif 000003
【図２】
2013521472.tif 000004
【図３】
2013521472.tif 000005
【図４】
2013521472.tif 000006
【図５】
2013521472.tif 000007
【図６】
2013521472.tif 000008
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
各ポジションロケーションが時間期間に関連する、ユーザの複数のポジションロケーションを、受信することと、
前記ポジションロケーションと前記時間期間とに少なくとも一部基づいて、ユーザプロファイル情報を保持することと、
前記ユーザの受信したポジションが、予想されるポジションと相関しないときに、または、前記ユーザのポジションが受信されないときに、前記ユーザプロファイル情報に少なくとも一部基づいて、前記ユーザの現在のロケーションを推定することと
を含む方法。
【請求項２】
前記ユーザプロファイル情報を保持することは、
第１の時間期間が未知のロケーションに対応するときを決定することと、
前記第１の時間期間をロケーションに関連させることと、
前記関連に基づいて、前記ユーザプロファイル情報を更新することと
をさらに含む請求項１記載の方法。
【請求項３】
前記関連は、前記第１の時間期間の間の前記ユーザのロケーションについてのユーザ入力を受信することを含む請求項２記載の方法。
【請求項４】
前記ユーザプロファイル情報を保持することは、
第１のユーザポジションロケーションが、前記ユーザプロファイル情報中の既知のロケーションに相関しないときを決定することと、
前記ユーザプロファイル情報中のプロファイルされたロケーションに相関するように、前記第１のユーザポジションロケーションを訂正することと
をさらに含む請求項１記載の方法。
【請求項５】
緊急時のイベント時における、ユーザの最新の入手可能なロケーションが、前記第１のユーザポジションロケーションに相関するときに、前記プロファイルされたロケーションを救急隊員に知らせることをさらに含む請求項１記載の方法。
【請求項６】
前記推定することは、緊急時のイベントに応答して起こる請求項１記載の方法。
【請求項７】
前記ユーザの現在のロケーションを推定することは、前記ユーザプロファイル情報を、前記緊急時のイベントに対応する日付および時間と比較することを含む請求項６記載の方法。
【請求項８】
前記ユーザの現在のロケーションを推定することは、前記ユーザプロファイル情報に少なくとも一部基づいて、複数の潜在的なユーザロケーションを決定することを含む請求項１記載の方法。
【請求項９】
ワイヤレス通信のために構成されている装置において、
各ポジションロケーションが時間期間に関連する、ユーザの複数のポジションロケーションを、受信する手段と、
前記ポジションロケーションと前記時間期間とに少なくとも一部基づいて、ユーザプロファイル情報を保持する手段と、
前記ユーザの受信したポジションが、予想されるポジションと相関しないときに、または、前記ユーザのポジションが受信されないときに、前記ユーザプロファイル情報に少なくとも一部基づいて、前記ユーザの現在のロケーションを推定する手段と
を具備する装置。
【請求項１０】
前記ユーザプロファイル情報を保持する手段は、
第１の時間期間が未知のロケーションに対応するときを決定する手段と、
前記第１の時間期間をロケーションに関連させる手段と、
前記関連に基づいて、前記ユーザプロファイル情報を更新する手段と
をさらに具備する請求項９記載の装置。
【請求項１１】
前記ユーザプロファイル情報を保持する手段は、
第１のユーザポジションロケーションが、前記ユーザプロファイル情報中の既知のロケーションに相関しないときを決定する手段と、
前記ユーザプロファイル情報中のプロファイルされたロケーションに相関するように、前記第１のユーザポジションロケーションを訂正する手段と
をさらに具備する請求項９記載の装置。
【請求項１２】
前記推定する手段は、緊急時のイベントに応答して動作する請求項１１記載の装置。
【請求項１３】
ワイヤレス通信のために構成されている装置において、
メモリと、
前記メモリに結合されている少なくとも１つのプロセッサと
を具備し、
前記少なくとも１つのプロセッサは、
各ポジションロケーションが時間期間に関連する、ユーザの複数のポジションロケーションを、受信するように、
前記ポジションロケーションと前記時間期間とに少なくとも一部基づいて、ユーザプロファイル情報を保持するように、
前記ユーザの受信したポジションが、予想されるポジションと相関しないときに、または、前記ユーザのポジションが受信されないときに、前記ユーザプロファイル情報に少なくとも一部基づいて、前記ユーザの現在のロケーションを推定するように
構成されている装置。
【請求項１４】
前記少なくとも１つのプロセッサは、
第１の時間期間が未知のロケーションに対応するときを決定することと、
前記第１の時間期間をロケーションに関連させることと、
前記関連に基づいて、前記ユーザプロファイル情報を更新することと
により、前記ユーザプロファイル情報を保持するように構成されている請求項１３記載の装置。
【請求項１５】
前記少なくとも１つのプロセッサは、前記第１の時間期間の間の前記ユーザのロケーションについてのユーザ入力を受信するようにさらに構成されている請求項１４記載の装置。
【請求項１６】
前記少なくとも１つのプロセッサは、
第１のユーザポジションロケーションが、前記ユーザプロファイル情報中の既知のロケーションに対応しないときを決定することと、
前記ユーザプロファイル情報中のプロファイルされたロケーションに対応するように、前記第１のユーザポジションロケーションを訂正することと
により、前記ユーザプロファイル情報を保持するように構成されている請求項１３記載の装置。
【請求項１７】
前記少なくとも１つのプロセッサは、緊急時のイベント時における、ユーザの最新の入手可能なロケーションが、前記第１のユーザポジションロケーションに対応しないときに、前記プロファイルされたロケーションを救急隊員に知らせるようにさらに構成されている請求項１６記載の装置。
【請求項１８】
前記少なくとも１つのプロセッサは、緊急時のイベントに応答して推定するように構成されている請求項１３記載の装置。
【請求項１９】
前記少なくとも１つのプロセッサは、前記ユーザプロファイル情報を、前記緊急時のイベントに対応する日付および時間と比較することにより、前記ユーザの現在のロケーションを推定するように構成されている請求項１８記載の装置。
【請求項２０】
前記少なくとも１つのプロセッサは、前記ユーザプロファイル情報に少なくとも一部基づいて、複数の潜在的なユーザロケーションを決定することにより、前記ユーザの現在のロケーションを推定するように構成されている請求項１３記載の装置。
【請求項２１】
ワイヤレス通信のために構成されているコンピュータプログラムプロダクトにおいて、
前記コンピュータプログラムプロダクトは、その上に一時的でないプログラムコードを記録させている一時的でないコンピュータ読取可能媒体を具備し、
前記プログラムコードは、
各ポジションロケーションが時間期間に関連する、ユーザの複数のポジションロケーションを、受信するためのプログラムコードと、
前記ポジションロケーションと前記時間期間とに少なくとも一部基づいて、ユーザプロファイル情報を保持するためのプログラムコードと、
前記ユーザの受信したポジションが、予想されるポジションと相関しないときに、または、前記ユーザのポジションが受信されないときに、前記ユーザプロファイル情報に少なくとも一部基づいて、前記ユーザの現在のロケーションを推定するためのプログラムコードと
を含むコンピュータプログラムプロダクト。
【請求項２２】
前記ユーザプロファイル情報を保持するためのプログラムコードは、
第１の時間期間が未知のロケーションに対応するときを決定するためのプログラムコードと、
前記第１の時間期間をロケーションに関連させるためのプログラムコードと、
前記関連に基づいて、前記ユーザプロファイル情報を更新するためのプログラムコードと
をさらに含む請求項２１記載のコンピュータプログラムプロダクト。
【請求項２３】
前記ユーザプロファイル情報を保持するためのプログラムコードは、
第１のユーザポジションロケーションが、前記ユーザプロファイル情報中の既知のロケーションに相関しないときを決定するためのプログラムコードと、
前記ユーザプロファイル情報中のプロファイルされたロケーションに相関するように、前記第１のユーザポジションロケーションを訂正するためのプログラムコードと
をさらに含む請求項２１記載のコンピュータプログラムプロダクト。
【請求項２４】
前記推定するためのプログラムコードは、緊急時のイベントに応答して実行する請求項２３記載のコンピュータプログラムプロダクト。
【手続補正２】
【補正対象書類名】明細書
【補正対象項目名】００３９
【補正方法】変更
【補正の内容】
【００３９】
先の説明は、開示の完全な範囲を、任意の当業者が十分に理解できるように提供されている。ここで開示した様々な構成に対する様々な改良は、当業者に容易に明らかになるであろう。したがって、特許請求の範囲は、ここで説明した開示の様々な態様に限定されることを意図するものではなく、特許請求の範囲の文言と矛盾しない全範囲を許容すべきである。エレメントの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつかの”という用語は“１つ以上の”ことを指す。当業者に知られている、または、後に知られることになる、本開示全体で説明した様々な態様のエレメントに対するすべての構造的および機能的な均等物は、ここで参照により明確に組み込まれ、特許請求の範囲に含まれることを意図している。さらに、ここで開示したものは、このような開示が特許請求の範囲中に明示的に規定されているか否かにかかわらず、公共に捧げられることを意図していない。どの請求項のエレメントも、エレメントが“〜する手段”というフレーズを使用して明確に規定されない限り、または、方法の請求項のケースでは、エレメントが“〜する工程”というフレーズを使用して規定されない限り、合衆国法典第３５部第１１２条第６パラグラフの規定のもとで解釈すべきではない。
以下に、本願出願の当初の特許請求の範囲に記載された発明を付記する。
［１］ワイヤレス通信の方法において、
ユーザプロファイル情報を保持することと、
複数のポジションロケーションを受信することと、
失敗した相関を決定するために、前記受信したポジションロケーションを相関させることと、
前記受信したポジションロケーションにギャップがあるか否かに基づいて、ブラックアウト期間を決定することと、
前記失敗した相関と前記ブラックアウト期間とに対するロケーション情報を取得することと、
前記取得したロケーション情報に基づいて、前記ユーザプロファイル情報を更新することと、
緊急事態の通知を受信することと、
前記ユーザプロファイル情報、または、前記緊急事態の通知とともに受信した緊急時のポジションロケーションのうちの少なくとも１つに基づいて、前記緊急事態の通知に応答することと
を含む方法。
［２］ユーザに対する前記ユーザプロファイル情報を受信することをさらに含み、
前記ユーザプロファイル情報は、少なくとも１つのロケーションと、前記少なくとも１つのロケーションのそれぞれに関連する時間期間とを含む上記［１］記載の方法。
［３］前記受信したポジションロケーションは、ＧＰＳ座標を含む上記［１］記載の方法。
［４］前記受信したポジションロケーションは、ユーザ報告されたロケーション、または、実際のロケーションのうちの少なくとも１つをさらに含む上記［３］記載の方法。
［５］前記取得したロケーション情報は、前記失敗した相関と前記決定したブラックアウト期間とに対応するロケーションを含む上記［１］記載の方法。
［６］前記相関させることは、
前記受信したポジションロケーションを実際のロケーションと相関させることと、
実際のロケーションと相関していないポジションロケーションを、前記ユーザプロファイル情報と相関させることと、
前記相関が失敗したポジションロケーションを、実際のロケーションまたは前記ユーザプロファイル情報と相関していないポジションロケーションとして、決定することと
を含む上記［１］記載の方法。
［７］前記緊急事態の通知に応答することは、前記ユーザプロファイル情報または報告された緊急時のポジションロケーションのうちの少なくとも１つに基づいて決定された緊急時のロケーションにいるユーザに付き添うように救急隊員に要求することを含む上記［１］記載の方法。
［８］前記緊急事態の通知とともに緊急時のポジションロケーションを受信することと、
前記緊急時のロケーションを決定するために、前記緊急時のポジションロケーションを、実際のロケーションまたは前記ユーザプロファイル情報のうちの少なくとも１つと相関させることと、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善することと
をさらに含む上記［７］記載の方法。
［９］緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定することをさらに含む上記［７］記載の方法。
［１０］ワイヤレス通信の方法において、
少なくとも１つのロケーションと、前記少なくとも１つのロケーションのそれぞれに関連する時間期間とを含む、ユーザに対するユーザプロファイル情報を受信することと、
前記ユーザの複数のポジションロケーションを受信することと、
前記受信したポジションロケーションにギャップがあるか否かに基づいて、ブラックアウト期間を決定することと、
前記相関が失敗したポジションロケーションを決定するために、前記受信したポジションロケーションを前記ユーザプロファイル情報と相関させることと、
前記決定したブラックアウト期間と、前記受信したポジションロケーションの前記決定した相関の失敗とに対応するロケーションを、前記ユーザから取得することと、
前記ユーザから取得したロケーションに基づいて、前記ユーザプロファイル情報を更新することと、
緊急事態の通知を受信することと、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求することと
を含む方法。
［１１］ワイヤレス通信のための装置において、
ユーザプロファイル情報を保持する手段と、
複数のポジションロケーションを受信する手段と、
失敗した相関を決定するために、前記受信したポジションロケーションを相関させる手段と、
前記受信したポジションロケーションにギャップがあるか否かに基づいて、ブラックアウト期間を決定する手段と、
前記失敗した相関と前記ブラックアウト期間とに対するロケーション情報を取得する手段と、
前記取得したロケーション情報に基づいて、前記ユーザプロファイル情報を更新する手段と、
緊急事態の通知を受信する手段と、
前記ユーザプロファイル情報、または、前記緊急事態の通知とともに受信した緊急時のポジションロケーションのうちの少なくとも１つに基づいて、前記緊急事態の通知に応答する手段と
を具備する装置。
［１２］ユーザに対する前記ユーザプロファイル情報を受信する手段をさらに具備し、
前記ユーザプロファイル情報は、少なくとも１つのロケーションと、前記少なくとも１つのロケーションのそれぞれに関連する時間期間とを含む上記［１１］記載の装置。
［１３］前記受信したポジションロケーションは、ＧＰＳ座標を含む上記［１１］記載の装置。
［１４］前記受信したポジションロケーションは、ユーザ報告されたロケーション、または、実際のロケーションのうちの少なくとも１つをさらに含む上記［１３］記載の装置。
［１５］前記取得したロケーション情報は、前記失敗した相関と前記決定したブラックアウト期間とに対応するロケーションを含む上記［１１］記載の装置。
［１６］前記相関させる手段は、
前記受信したポジションロケーションを実際のロケーションと相関させ、
実際のロケーションと相関していないポジションロケーションを、前記ユーザプロファイル情報と相関させ、
前記相関が失敗したポジションロケーションを、実際のロケーションまたは前記ユーザプロファイル情報と相関していないポジションロケーションとして、決定する上記［１１］記載の装置。
［１７］前記緊急事態の通知に応答する手段は、前記ユーザプロファイル情報または報告された緊急時のポジションロケーションのうちの少なくとも１つに基づいて決定された緊急時のロケーションにいるユーザに付き添うように救急隊員に要求する上記［１１］記載の装置。
［１８］前記緊急事態の通知とともに緊急時のポジションロケーションを受信する手段と、
前記緊急時のロケーションを決定するために、前記緊急時のポジションロケーションを、実際のロケーションまたは前記ユーザプロファイル情報のうちの少なくとも１つと相関させる手段と、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善する手段と
をさらに具備する上記［１７］記載の装置。
［１９］緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定する手段をさらに具備する上記［１７］記載の装置。
［２０］ワイヤレス通信のための装置において、
少なくとも１つのロケーションと、前記少なくとも１つのロケーションのそれぞれに関連する時間期間とを含む、ユーザに対するユーザプロファイル情報を受信する手段と、
前記ユーザの複数のポジションロケーションを受信する手段と、
前記受信したポジションロケーションにギャップがあるか否かに基づいて、ブラックアウト期間を決定する手段と、
前記相関が失敗したポジションロケーションを決定するために、前記受信したポジションロケーションを前記ユーザプロファイル情報と相関させる手段と、
前記決定したブラックアウト期間と、前記受信したポジションロケーションの前記決定した相関の失敗とに対応するロケーションを、前記ユーザから取得する手段と、
前記ユーザから取得したロケーションに基づいて、前記ユーザプロファイル情報を更新する手段と、
緊急事態の通知を受信する手段と、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求する手段と
を具備する装置。
［２１］コンピュータ読取可能媒体を具備するコンピュータプログラムプロダクトにおいて、
前記コンピュータ読取可能媒体は、
ユーザプロファイル情報を保持するためのコードと、
複数のポジションロケーションを受信するためのコードと、
失敗した相関を決定するために、前記受信したポジションロケーションを相関させるためのコードと、
前記受信したポジションロケーションにギャップがあるか否かに基づいて、ブラックアウト期間を決定するためのコードと、
前記失敗した相関と前記ブラックアウト期間とに対するロケーション情報を取得するためのコードと、
前記取得したロケーション情報に基づいて、前記ユーザプロファイル情報を更新するためのコードと、
緊急事態の通知を受信するためのコードと、
前記ユーザプロファイル情報、または、前記緊急事態の通知とともに受信した緊急時のポジションロケーションのうちの少なくとも１つに基づいて、前記緊急事態の通知に応答するためのコードと
を含むコンピュータプログラムプロダクト。
［２２］前記コンピュータ読取可能媒体は、ユーザに対する前記ユーザプロファイル情報を受信するためのコードをさらに含み、
前記ユーザプロファイル情報は、少なくとも１つのロケーションと、前記少なくとも１つのロケーションのそれぞれに関連する時間期間とを含む上記［２１］記載のコンピュータプログラムプロダクト。
［２３］前記受信したポジションロケーションは、ＧＰＳ座標を含む上記［２１］記載のコンピュータプログラムプロダクト。
［２４］前記受信したポジションロケーションは、ユーザ報告されたロケーション、または、実際のロケーションのうちの少なくとも１つをさらに含む上記［２３］記載のコンピュータプログラムプロダクト。
［２５］前記取得したロケーション情報は、前記失敗した相関と前記決定したブラックアウト期間とに対応するロケーションを含む上記［２１］記載のコンピュータプログラムプロダクト。
［２６］前記相関させるためのコードは、
前記受信したポジションロケーションを実際のロケーションと相関させ、
実際のロケーションと相関していないポジションロケーションを、前記ユーザプロファイル情報と相関させ、
前記相関が失敗したポジションロケーションを、実際のロケーションまたは前記ユーザプロファイル情報と相関していないポジションロケーションとして、決定する
上記［２１］記載のコンピュータプログラムプロダクト。
［２７］前記緊急事態の通知に応答するためのコードは、前記ユーザプロファイル情報または報告された緊急時のポジションロケーションのうちの少なくとも１つに基づいて決定された緊急時のロケーションにいるユーザに付き添うように救急隊員に要求する上記［２１］記載のコンピュータプログラムプロダクト。
［２８］前記コンピュータ読取可能媒体は、
前記緊急事態の通知とともに緊急時のポジションロケーションを受信するためのコードと、
前記緊急時のロケーションを決定するために、前記緊急時のポジションロケーションを、実際のロケーションまたは前記ユーザプロファイル情報のうちの少なくとも１つと相関させるためのコードと、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善するためのコードと
をさらに含む上記［２７］記載のコンピュータプログラムプロダクト。
［２９］前記コンピュータ読取可能媒体は、緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定するためのコードをさらに含む上記［２７］記載のコンピュータプログラムプロダクト。
［３０］コンピュータ読取可能媒体を具備するコンピュータプログラムプロダクトにおいて、
前記コンピュータ読取可能媒体は、
少なくとも１つのロケーションと、前記少なくとも１つのロケーションのそれぞれに関連する時間期間とを含む、ユーザに対するユーザプロファイル情報を受信するためのコードと、
前記ユーザの複数のポジションロケーションを受信するためのコードと、
前記受信したポジションロケーションにギャップがあるか否かに基づいて、ブラックアウト期間を決定するためのコードと、
前記相関が失敗したポジションロケーションを決定するために、前記受信したポジションロケーションを、前記ユーザプロファイル情報と相関させるためのコードと、
前記決定したブラックアウト期間と、前記受信したポジションロケーションの前記決定した相関の失敗とに対応するロケーションを、前記ユーザから取得するためのコードと、
前記ユーザから取得したロケーションに基づいて、前記ユーザプロファイル情報を更新するためのコードと、
緊急事態の通知を受信するためのコードと、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求するためのコードとを含むコンピュータプログラムプロダクト。
［３１］ワイヤレス通信のための装置において、
ユーザプロファイル情報を保持するように、
複数のポジションロケーションを受信するように、
失敗した相関を決定するために、前記受信したポジションロケーションを相関させるように、
前記受信したポジションロケーションにギャップがあるか否かに基づいて、ブラックアウト期間を決定するように、
前記失敗した相関と前記ブラックアウト期間とに対するロケーション情報を取得するように、
前記取得したロケーション情報に基づいて、前記ユーザプロファイル情報を更新するように、
緊急事態の通知を受信するように、
前記ユーザプロファイル情報、または、前記緊急事態の通知とともに受信した緊急時のポジションロケーションのうちの少なくとも１つに基づいて、前記緊急事態の通知に応答するように
構成されている処理システムを具備する装置。
［３２］前記処理システムは、ユーザに対する前記ユーザプロファイル情報を受信するようにさらに構成され、
前記ユーザプロファイル情報は、少なくとも１つのロケーションと、前記少なくとも１つのロケーションのそれぞれに関連する時間期間とを含む上記［３１］記載の装置。
［３３］前記受信したポジションロケーションは、ＧＰＳ座標を含む上記［３１］記載の装置。
［３４］前記受信したポジションロケーションは、ユーザ報告されたロケーション、または、実際のロケーションのうちの少なくとも１つをさらに含む上記［３３］記載の装置。
［３５］前記取得したロケーション情報は、前記失敗した相関と前記決定したブラックアウト期間とに対応するロケーションを含む上記［３１］記載の装置。
［３６］前記受信したポジションロケーションを相関させるために、
前記処理システムは、
前記受信したポジションロケーションを実際のロケーションと相関させるように、
実際のロケーションと相関していないポジションロケーションを、前記ユーザプロファイル情報と相関させるように、
前記相関が失敗したポジションロケーションを、実際のロケーションまたは前記ユーザプロファイル情報と相関していないポジションロケーションとして、決定するように
構成されている上記［３１］記載の装置。
［３７］前記緊急事態の通知に応答するために、前記処理システムは、前記ユーザプロファイル情報または報告された緊急時のポジションロケーションのうちの少なくとも１つに基づいて決定された緊急時のロケーションにいるユーザに付き添うように救急隊員に要求するように構成されている上記［３１］記載の装置。
［３８］前記処理システムは、
前記緊急事態の通知とともに緊急時のポジションロケーションを受信するように、
前記緊急時のロケーションを決定するために、前記緊急時のポジションロケーションを、実際のロケーションまたは前記ユーザプロファイル情報のうちの少なくとも１つと相関させるように、
前記緊急時のポジションロケーションが、実際のロケーションまたは前記ユーザプロファイル情報のうちの前記少なくとも１つと相関していないが、前記ユーザプロファイル情報中のロケーションの予め定められた半径内にあるときに、前記緊急時のロケーションを改善するように
さらに構成されている上記［３７］記載の装置。
［３９］前記処理システムは、緊急時のポジションロケーションが前記緊急事態の通知とともに受信されないときに、少なくとも１つの以前に受信したポジションロケーションと、前記ユーザプロファイル情報とに基づいて、前記緊急時のロケーションを決定するようにさらに構成されている上記［３７］記載の装置。
［４０］ワイヤレス通信のための装置において、
少なくとも１つのロケーションと、前記少なくとも１つのロケーションのそれぞれに関連する時間期間とを含む、ユーザに対するユーザプロファイル情報を受信するように、
前記ユーザの複数のポジションロケーションを受信するように、
前記受信したポジションロケーションにギャップがあるか否かに基づいて、ブラックアウト期間を決定するように、
前記相関が失敗したポジションロケーションを決定するために、前記受信したポジションロケーションを、前記ユーザプロファイル情報と相関させるように、
前記決定したブラックアウト期間と、前記受信したポジションロケーションの前記決定した相関の失敗とに対応するロケーションを、前記ユーザから取得するように、
前記ユーザから取得したロケーションに基づいて、前記ユーザプロファイル情報を更新するように、
緊急事態の通知を受信するように、
前記ユーザプロファイル情報、または、前記緊急事態の通知とともに受信した緊急時のポジションロケーションのうちの少なくとも１つに基づいて決定されたロケーションにいるユーザに付き添うように救急隊員に要求するように
構成されている処理システムを具備する装置。
【国際調査報告】
2013521472.tif 000009
2013521472.tif 000010
2013521472.tif 000011